(57)【要約】【課題】環境光に合わせて透過表示と反射表示の色度差を抑えることのできる液晶装置を提供することを課題とする。【解決手段】液晶装置は、液晶表示パネルと、照明装置と、光センサと、光源制御手段と、を備える。液晶表示パネルは、１つのサブ画素が透過領域と反射領域で構成される。照明装置は、夫々が異なる色の光を出射する複数の光源を有し、液晶表示パネルに光を照射する。光センサは、環境光の複数の波長成分におけるそれぞれの光強度を検知する。光源制御手段は、複数の波長成分におけるそれぞれの光強度を基に複数の光源の光強度を色毎に調整することにより、照明装置より出射される光の色度を環境光の色度に合わせる。これにより、環境光に合わせて、透過表示と反射表示の色度差を抑えることができる。【選択図】図２
2007279197.tif 000002
【特許請求の範囲】
【請求項１】
１つのサブ画素が透過領域と反射領域で構成される液晶表示パネルと、
夫々が異なる色の光を出射する複数の光源を有して前記液晶表示パネルに光を照射する
照明装置と、
環境光の複数の波長成分におけるそれぞれの光強度を検知する光センサと、
前記複数の波長成分におけるそれぞれの光強度を基に前記複数の光源の光強度を色毎に
調整することにより、前記照明装置より出射した光の色度を前記環境光の色度に合わせる
光源制御手段と、を備えることを特徴とする液晶装置。
【請求項２】
前記光源制御手段は、前記環境光の複数の波長成分の光強度比が前記複数の光源の光強
度の光強度比となるように調整することを特徴とする請求項１に記載の液晶装置。
【請求項３】
前記照明装置は、ＲＧＢの各色の光を出射する複数の光源を有し、
前記光センサは、環境光のＲＧＢの各波長成分の光強度を検知することを特徴とする請
求項１又は２に記載の液晶装置。
【請求項４】
請求項１乃至３のいずれか一項に記載の液晶装置を表示部に備えることを特徴とする電
子機器。
【発明の詳細な説明】
【技術分野】
【０００１】
本発明は、各種情報の表示に用いるのに好適な液晶装置に関する。
【背景技術】
【０００２】
液晶装置においては、透過表示を行うために液晶表示パネルの背面側にバックライトと
して照明装置が設けられる。ＲＧＢの各色のＬＥＤ（Light Emitting Diode）を光源に有
する照明装置は、それぞれのＬＥＤから出射された光を混光することにより白色光を生成
し、生成された白色光を液晶表示パネルの背面側に照射する。液晶装置は、バックライト
より照射された白色光を、液晶表示パネルの基板上に積層されている赤（Ｒ）、緑（Ｇ）
、青（Ｂ）のそれぞれの波長の光を透過するカラーフィルタに透過させることにより、カ
ラー表示を実現している。
【０００３】
半透過反射型の液晶装置においては、照明装置から出射した光を液晶表示パネルに透過
して表示を行う透過表示の他、液晶表示パネルに入射した外光を反射させてカラーフィル
タに透過させることにより表示を行う反射表示を行うことができる。しかし、反射表示を
行う場合における白色点の色度と透過表示を行う場合における白色点の色度は異なるため
、半透過反射型の液晶装置では、反射表示を行う場合と透過表示を行う場合とで、表示画
面の見栄えに差が生じてしまう。なお、特許文献１に記載の液晶装置では、サブ画素の透
過領域と反射領域において、カラーフィルタとしてどちらの領域にも同じ材料を用いるこ
とにより、反射表示を行う場合と透過表示を行う場合とで生じる色度差を抑えている。
【０００４】
【特許文献１】特開２００３−９８３３７号公報
【発明の開示】
【発明が解決しようとする課題】
【０００５】
しかしながら、半透過反射型の液晶装置では、反射表示を行う際において、外光として
用いられる環境光の色度が変化した場合、例えば、ユーザが屋外から屋内に移動して、外
光として用いられる環境光が太陽光から蛍光灯の光に変化した場合には、夫々の環境光に
よって反射表示における白色点の色度も変化してしまう。
【０００６】
本発明は上記の点に鑑みてなされたものであり、環境光に合わせて透過表示と反射表示
の色度差を抑えることのできる液晶装置を提供することを課題とする。
【課題を解決するための手段】
【０００７】
本発明の１つの観点では、液晶装置は、１つのサブ画素が透過領域と反射領域で構成さ
れる液晶表示パネルと、夫々が異なる色の光を出射する複数の光源を有して前記液晶表示
パネルに光を照射する照明装置と、環境光の複数の波長成分におけるそれぞれの光強度を
検知する光センサと、前記複数の波長成分におけるそれぞれの光強度を基に前記複数の光
源の光強度を色毎に調整することにより、前記照明装置より出射した光の色度を前記環境
光の色度に合わせる光源制御手段と、を備える。
【０００８】
上記の液晶装置は、半透過反射型の液晶装置であり、液晶表示パネルと、照明装置と、
光センサと、光源制御手段と、を備える。液晶表示パネルは、１つのサブ画素が透過領域
と反射領域で構成される。照明装置は、夫々が異なる色の光を出射する複数の光源を有し
て前記液晶表示パネルに光を照射する。光源としては、例えばＬＥＤ（Light Emitting D
iode）が用いられる。光センサは、環境光の複数の波長成分におけるそれぞれの光強度を
検知する。光源制御手段は、前記複数の波長成分におけるそれぞれの光強度を基に前記複
数の光源の光強度を色毎に調整することにより、前記照明装置より出射した光の色度を前
記環境光の色度に合わせる。これにより、環境光に合わせて、反射表示を行う際における
白色点の色度座標と透過表示を行う際における白色点の色度座標を等しくすることができ
、透過表示と反射表示の色度差を抑えることができる。
【０００９】
上記の液晶装置の好適な実施例は、前記光源制御手段は、前記環境光の複数の波長成分
の光強度比が前記複数の光源の光強度の光強度比となるように調整する。
【００１０】
上記の液晶装置の他の一態様は、前記照明装置は、ＲＧＢの各色の光を出射する複数の
光源を有し、前記光センサは、環境光のＲＧＢの各波長成分の光強度を検知する。これに
より、ＲＧＢの３色の光源を有する照明装置を用いた半透過反射型の液晶装置において、
環境光に合わせて、反射表示を行う際における白色点の色度座標と透過表示を行う際にお
ける白色点の色度座標を等しくすることができ、透過表示と反射表示の色度差を抑えるこ
とができる。
【００１１】
本発明の更なる他の観点では、上記の電気光学装置を表示部に備えることを特徴とする
電子機器を構成することができる。
【発明を実施するための最良の形態】
【００１２】
以下、図面を参照して本発明を実施するための最良の形態について説明する。
【００１３】
[液晶装置の構成]
まず、図１及び図２を参照して、本実施形態に係る液晶装置１００の構成等について説
明する。
【００１４】
図１は、本実施形態に係る液晶装置１００の概略構成を模式的に示す平面図である。図
１では、紙面手前側（観察側）にカラーフィルタ基板９２が、また、紙面奥側に素子基板
９１が夫々配置されている。なお、図１では、紙面縦方向（列方向）をＹ方向と、また、
紙面横方向（行方向）をＸ方向と規定する。また、図１において、Ｒ（赤）、Ｇ（緑）、
Ｂ（青）に対応する各領域は１つのサブ画素ＳＧを示していると共に、ＲＧＢに対応する
１行３列のサブ画素ＳＧは、１つの表示画素ＡＧを示している。
【００１５】
図２は、液晶装置１００における切断線Ａ−Ａ´に沿った１つの表示画素ＡＧの拡大断
面図である。図２に示すように、液晶装置１００は、照明装置１０と、液晶表示パネル３
０より構成される。液晶表示パネル３０は、素子基板９１と、その素子基板９１に対向し
て配置されるカラーフィルタ基板９２とが枠状のシール材５を介して貼り合わされ、その
シール材５の内側に液晶が封入されて液晶層４が形成されてなる。液晶層４に用いられる
液晶は、例えばＴＮ（Twisted Nematic）型液晶である。液晶表示パネル３０の素子基板
９１の外面上には、照明装置１０が備えられている。
【００１６】
本実施形態に係る液晶装置１００は、Ｒ、Ｇ、Ｂの３色を用いて構成されるカラー表示
用の液晶装置であると共に、スイッチング素子としてα−Ｓｉ型ＴＦＴ（Thin Film Tran
sistor）素子を用いたアクティブマトリクス駆動方式の液晶装置である。
【００１７】
素子基板９１の平面構成について説明する。素子基板９１の内面上には、主として、複
数のソース線３２、複数のゲート線３３、複数のα−Ｓｉ型ＴＦＴ素子３７、複数の反射
層７、複数の画素電極３４、ドライバＩＣ４０、外部接続用配線３５及びＦＰＣ（Flexib
le Printed Circuit）４１などが形成若しくは実装されている。
【００１８】
図１に示すように、素子基板９１は、カラーフィルタ基板９２の一辺側から外側へ張り
出してなる張り出し領域３１を有しており、その張り出し領域３１上には、ドライバＩＣ
４０が実装されている。ドライバＩＣ４０の入力側の端子（図示略）は、複数の外部接続
用配線３５の一端側と電気的に接続されていると共に、複数の外部接続用配線３５の他端
側はＦＰＣ４１と電気的に接続されている。各ソース線３２は、Ｙ方向に延在するように
且つＸ方向に適宜の間隔をおいて形成されており、各ソース線３２の一端側は、ドライバ
ＩＣ４０の出力側の端子（図示略）に電気的に接続されている。
【００１９】
各ゲート線３３は、Ｙ方向に延在するように形成された第１配線３３ａと、その第１配
線３３ａの終端部からＸ方向に延在するように形成された第２配線３３ｂとを備えている
。各ゲート線３３の第２配線３３ｂは、各ソース線３２と交差する方向、即ちＸ方向に延
在するように且つＹ方向に適宜の間隔をおいて形成されており、各ゲート線３３の第１配
線３３ａの一端側は、ドライバＩＣ４０の出力側の端子（図示略）に電気的に接続されて
いる。各ソース線３２と各ゲート線３３の第２配線３３ｂの交差に対応する位置にはα−
ＴＦＴ素子３７が設けられており、各α−ＴＦＴ素子３７は各ソース線３２、各ゲート線
３３及び各画素電極３４等に電気的に接続されている。各α−ＴＦＴ素子３７、各画素電
極３４は、ガラスなどの基板１上の各サブ画素ＳＧに対応する位置に設けられている。各
画素電極３４は、例えばＩＴＯ（Indium-Tin Oxide）などの透明導電材料により形成され
ている。また、図２に示すように、基板１上の各サブ画素ＳＧに対応する位置には、アル
ミニウム（Ａｌ）などの金属で反射層７が設けられている。各サブ画素ＳＧには、反射層
７が設けられている領域と反射層７が設けられていない領域が存在し、反射層７が設けら
れている領域で、液晶表示パネル３０に入射した環境光の光、即ち外光は反射層７によっ
て反射され、反射層７が設けられていない領域を通して、照明装置１０からの光は透過す
ることができる。従って、反射層７が設けられている領域が反射領域であり、反射層７が
設けられていない領域が透過領域である。
【００２０】
１つの表示画素ＡＧがＸ方向及びＹ方向に複数個、マトリクス状に並べられた領域が有
効表示領域Ｖ（２点鎖線により囲まれる領域）である。この有効表示領域Ｖに、文字、数
字、図形等の画像が表示される。なお、有効表示領域Ｖの外側の領域は表示に寄与しない
額縁領域３８となっている。また、各ソース線３２、各ゲート線３３、各α−ＴＦＴ素子
３７、及び各画素電極３４等の内面上には、図示しない配向膜が形成されている。
【００２１】
次に、カラーフィルタ基板９２の平面構成について説明する。図２に示すように、カラ
ーフィルタ基板９２は、ガラスなどの基板２上に、遮光層（一般に「ブラックマトリクス
」と呼ばれ、以下では、単に「ＢＭ」と略記する）、ＲＧＢの３色の着色層６Ｒ、６Ｇ、
６Ｂ及び共通電極８などを有する。ＢＭは、各色のサブ画素ＳＧを区画する位置に形成さ
れている。なお、以下の説明もしくは図面において、ＲＧＢの色を特定することなく構成
要素を示す場合には、単に「着色層６」のように記し、ＲＧＢの色を区別して構成要素を
示す場合には、例えば「着色層６Ｒ」のように記すこととする。ＲＧＢの各色のサブ画素
ＳＧは、着色層６Ｒ、６Ｇ、６Ｂの夫々を有している。この着色層６Ｒ、６Ｇ、６Ｂが、
夫々の色のカラーフィルタとして機能する。共通電極８は、画素電極と同様にＩＴＯなど
の透明導電材料からなり、カラーフィルタ基板９２の略一面に亘って形成されている。共
通電極８は、シール材５の隅の領域Ｅ１において配線３６の一端側と電気的に接続されて
いると共に、当該配線３６の他端側は、ドライバＩＣ４０のＣＯＭに対応する出力端子と
電気的に接続されている。
【００２２】
次に、照明装置１０について説明する。照明装置１０は、導光板１１と光源部１２より
構成される。光源部１２は、導光板１１の端面１１ｃに対し光Ｌを出射する。光源部１２
は、後に詳しく述べるが、光源として複数のＬＥＤ（Light Emitting Diode）１３を有す
る。ＬＥＤ１３は、ＲＧＢの３色のＬＥＤ１３Ｒ、１３Ｇ、１３Ｂより構成される。各色
のＬＥＤ１３は、電流制御回路１５と接続されている。電流制御回路１５は、光センサ１
６と接続されている。
【００２３】
光センサ１６は、環境光のＲＧＢの各波長成分の光強度を検知する。具体的には、光セ
ンサ１６は、環境光のＲの波長成分の光強度を検知する光センサ、環境光のＧの波長成分
の光強度を検知する光センサ、環境光のＢの波長成分の光強度を検知する光センサの各光
センサより構成されるとしてもよいし、１つの光センサでＲＧＢのすべての波長を含む光
を検知し、その分光スペクトルをとることにより、ＲＧＢの各波長成分の光強度を求める
としてもよい。
【００２４】
電流制御回路１５は、光センサ１６によって検知された光の光強度を基に、ＬＥＤ１３
に供給する電流を制御する。ＬＥＤ１３に供給する電流を大きくすれば、ＬＥＤ１３より
出射される光の光強度は大きくなり、ＬＥＤ１３に供給する電流を小さくすれば、ＬＥＤ
１３より出射される光の光強度は小さくなる。この電流制御回路１５が、本発明における
光源制御手段として機能する。
【００２５】
液晶装置１００において透過表示を行う場合について述べる。図２に示すように、光源
部１２より出射した光Ｌは、導光板１１の端面（以下、「入光端面」と称す）１１ｃより
導光板１１内へ入り、導光板１１の出射面１１ａ、反射面１１ｂで反射を繰り返すことに
より方向を変える。光Ｌは、導光板１１の出射面１１ａと光Ｌのなす角が臨界角を超える
と、導光板１１の出射面１１ａより液晶表示パネル３０へ向けて出射する。
【００２６】
導光板１１の出射面１１ａより液晶表示パネル３０へ向けて出射した光Ｌは、液晶表示
パネル３０を透過する。液晶装置１００は、光Ｌが液晶表示パネル３０を透過することに
よって照明される。これにより、液晶装置１００は、文字、数字、図形等の画像を表示す
ることができ、観測者が画像を視認することができる。
【００２７】
液晶装置１００において反射表示を行う場合について述べる。図２に示すように、外部
から液晶表示パネル３０に入射した外光Ｒは、着色層６、液晶層４を透過し、反射層７で
反射される。反射層７で反射された外光Ｒは、再び液晶層４、着色層６を透過した後、液
晶表示パネル３０の外部へ出射する。これにより、液晶装置１００は、文字、数字、図形
等の画像を表示することができ、観測者が画像を視認することができる。
【００２８】
液晶装置１００では、電子機器のメイン基板等と接続されたＦＰＣ４１側からの信号及
び電力等に基づき、ドライバＩＣ４０によって、Ｇ１、Ｇ２、・・・、Ｇｍ−１、Ｇｍ（
ｍは自然数）の順にゲート線３３が順次排他的に１本ずつ選択されるとともに、選択され
たゲート線３３には、選択電圧のゲート信号が供給される一方、他の非選択のゲート線３
３には、非選択電圧のゲート信号が供給される。そして、ドライバＩＣ４０は、選択され
たゲート線３３に対応する位置にある画素電極３４に対し、表示内容に応じたソース信号
を、それぞれ対応するＳ１、Ｓ２、・・・、Ｓｎ−１、Ｓｎ（ｎは自然数）のソース線３
２及びα−ＴＦＴ素子３７を介して供給する。その結果、液晶層４の配向状態が制御され
、液晶装置１００の表示状態が、非表示状態または中間表示状態に切り替えられることと
なる。
【００２９】
なお、液晶表示パネル３０は、スイッチング素子として、α−ＴＦＴ素子３７を用いる
としているが、これに限られず、代わりにポリシリコンＴＦＴやＴＦＤ（Thin Film Diod
e）素子を用いるとすることもできる。
【００３０】
また、液晶表示パネル３０としては、上述したようなＴＮ液晶からなる液晶層を有する
液晶表示パネルには限られず、代わりに、ＶＡ（Vertical Alignment）方式、ＩＰＳ（In
Plane Switching）方式、ＦＦＳ（Fringe Field Structure）方式などの液晶表示パネル
を用いるとすることもできる。
【００３１】
（ＲＧＢのＬＥＤにおける白色調整）
先にも述べたように、液晶装置１００において透過表示を行う場合、照明装置１０から
照射された白色光をカラーフィルタに透過させることによりカラー表示を行う。
【００３２】
図３（ａ）は、ＲＧＢの各色のＬＥＤを有する一般的な照明装置の光のスペクトル分布
を示している。図３（ａ）において、横軸は光の波長[ｎｍ]を、縦軸は相対発光強度[％]
を、夫々示す。ＲＧＢの各色の光は、各色のＬＥＤからそれぞれ発光される。従って、図
３（ａ）のグラフが示すように、ＲＧＢの各色のＬＥＤを有する照明装置の光は、各色ご
とにピークとなる波長を有している。このようなバックライトを有する液晶装置では、Ｒ
ＧＢの各色のＬＥＤより出光した光を混光することにより、白色光を生成する。
【００３３】
図３（ｂ）は、ＲＧＢのそれぞれのカラーフィルタの透過率を示している。図３（ｂ）
において、横軸は光の波長[ｎｍ]を示し、縦軸は透過率[％]を示している。図３（ｂ）が
示すように、ＲＧＢのそれぞれのカラーフィルタの透過率は、それぞれＲＧＢの各色の波
長の範囲で透過率が最も高くなる性質を有している。よって、液晶装置では、ＲＧＢの各
色を表示する場合、各色の着色層６が各色の波長の範囲にある光のみを透過することによ
り、カラー表示を行うことができる。
【００３４】
図４は、上記で述べたそれぞれの光源を用いた場合の液晶装置による色再現範囲を国際
照明委員会（ＣＩＥ）の色度図上に示している。
【００３５】
色再現範囲４０１は、人間の目の波長感度特性による色再現範囲であり、人間が見分け
ることのできる色再現範囲を示している。色再現範囲４０２は、ＮＴＳＣ（National Tel
evision System Committee）方式の表示装置で再現できる色再現範囲を示している。色再
現範囲４０３は、一般的なＲＧＢの３色の着色層を有する液晶装置により達成される色再
現範囲を示している。色再現範囲４０３は、一例として、ＮＴＳＣ比（色再現範囲４０２
に対する割合）が５０％となっている。点Ｗは、この液晶装置において透過表示を行う場
合における白色点の色度座標を示す。点Ｗａは、太陽光を外光として用いて反射表示を行
う場合の白色点の色度座標（Ｘ、Ｙ）＝（０．３１、０．３３）を示す。点Ｗａは、色温
度が６５００[Ｋ]であることから、Ｄ６５とも呼ばれ、理想的な白色点である。点Ｗｂは
、所定の蛍光灯の光を外光として用いて反射表示を行う場合の白色点の色度座標（Ｘ、Ｙ
）＝（０．３２、０．３５）を示す。
【００３６】
図４から分かるように、一般的な液晶装置は、透過表示を行う場合に、白色点Ｗは、点
Ｗａ及び点Ｗｂと比較して、青色側へ寄っている。即ち、一般的な液晶装置において、透
過表示を行うときの白色表示は、太陽光や蛍光灯を外光として用いて反射表示を行うとき
の白色表示と比較して青みがかった白色表示となる。そのため、反射表示を行う場合と透
過表示を行う場合とで色度差が生じる。
【００３７】
そこで、本実施形態に係る液晶装置１００では、電流制御回路１５は、光センサ１６に
よって検知された環境光のＲＧＢの各波長成分の光強度を基に、各色のＬＥＤ１３より出
射される光の光強度を色毎に調整することにより、照明装置１０より出射される光の色度
を環境光の色度に合わせる。以下、このＬＥＤ光強度調整処理について、図５に示すフロ
ーチャートを用いて述べる。
【００３８】
まず、光センサ１６は、環境光のＲＧＢの各波長成分の光強度を検知した後、検知信号
を電流制御回路１５へ供給する（ステップＳ１１）。電流制御回路１５は、当該検知信号
を基に、環境光のＲＧＢの各波長成分の光強度比を求め、各色のＬＥＤ１３より出射され
る各色の光の光強度比と等しいか否かについて判定する（ステップＳ１２）。具体的には
、電流制御回路１５は、予め、各色のＬＥＤ１３に供給する電流量と、当該電流量に対す
る各色のＬＥＤ１３より出射される光の光強度との関係を記したテーブルをメモリなどに
記憶しておき、当該テーブルを基に、現在、各色のＬＥＤ１３に供給している電流量から
、現在の各色のＬＥＤ１３より出射される光の光強度を求める。そして、電流制御回路１
５は、求められた各色のＬＥＤ１３より出射される各色の光の光強度比と、環境光のＲＧ
Ｂの各波長成分の光強度比を比較する。電流制御回路１５は、環境光のＲＧＢの各色の成
分の光強度比と、各色のＬＥＤ１３より出射される各色の光の光強度比が等しいと判定し
た場合には、処理を終了する（ステップＳ１２：Ｙｅｓ）。
【００３９】
一方、電流制御回路１５は、環境光のＲＧＢの各波長成分の光強度比と、各色のＬＥＤ
１３より出射される各色の光の光強度比が等しくないと判定した場合には（ステップＳ１
２：Ｎｏ）、各色のＬＥＤ１３より出射される各色の光の光強度比が等しくなるように、
先に述べたメモリに記憶されているテーブルを基に、各色のＬＥＤ１３に供給する電流量
を調整する。これにより、各色のＬＥＤ１３より出射される各色の光の光強度比は、環境
光のＲＧＢの各色の成分の光強度比と等しくなり、照明装置１０より出射される光の色度
は、環境光の色度に合わせられる（ステップＳ１３）。この後、電流制御回路１５は処理
を終了する。
【００４０】
ステップ１３において、電流制御回路１５は、例えば、検知される環境光が太陽光の場
合には、ＬＥＤ１３Ｂに供給する電流量：ＬＥＤ１３Ｇに供給する電流量：ＬＥＤ１３Ｒ
に供給する電流量＝４．３：８．６：２０の比率で各色のＬＥＤ１３に電流を供給する。
これにより、照明装置１０より出射される光の色度は、太陽光の色度に合わせられ、透過
表示を行う際における液晶装置１００の白色点の色度座標は、太陽光を外光として用いて
反射表示を行う場合の白色点の色度座標（Ｘ、Ｙ）＝（０．３１、０．３３）と等しくな
る。
【００４１】
また、電流制御回路１５は、例えば、検知される環境光が先に述べた所定の蛍光灯の場
合には、ＬＥＤ１３Ｂに供給する電流量：ＬＥＤ１３Ｇに供給する電流量：ＬＥＤ１３Ｒ
に供給する電流量＝３．６：９：２０の比率で各色のＬＥＤ１３に電流を供給する。これ
により、照明装置１０より出射される光の色度は、当該所定の蛍光灯の光の色度に合わせ
られ、透過表示を行う際における液晶装置１００の白色点の色度座標は、所定の蛍光灯の
光を外光として用いて反射表示を行う場合の色度座標（Ｘ、Ｙ）＝（０．３２、０．３５
）と等しくなる。
【００４２】
図６は、本実施形態に係る液晶装置１００による色再現範囲を国際照明委員会（ＣＩＥ
）の色度図上に示している。
【００４３】
色再現範囲５０１ａは、環境光が太陽光の場合、即ち、ＬＥＤ１３Ｂに供給する電流量
：ＬＥＤ１３Ｇに供給する電流量：ＬＥＤ１３Ｒに供給する電流量＝４．３：８．６：２
０の比率で各色のＬＥＤ１３に電流が供給されて透過表示が行われる場合における色再現
範囲を示している。色再現範囲５０１ａは、点５０１ａＲで示すＲの色度座標（Ｘ、Ｙ）
＝（０．６５３、０．３０１）、点５０１ａＧで示すＧの色度座標（Ｘ、Ｙ）＝（０．１
６０、０．６２９）、点５０１ａＢで示すＢの色度座標（Ｘ、Ｙ）＝（０．１３３、０．
１２２）で規定される三角形で囲まれる範囲であり、ＮＴＳＣ比は８１．７５[％]となっ
ている。このときの白色点の色度座標が、先に述べたように点Ｗａで示す色度座標（０．
３１、０．３３）となる。
【００４４】
色再現範囲５０１ｂは、環境光が先に述べた所定の蛍光灯の場合、即ち、ＬＥＤ１３Ｂ
に供給する電流量：ＬＥＤ１３Ｇに供給する電流量：ＬＥＤ１３Ｒに供給する電流量＝３
．６：９：２０の比率で各色のＬＥＤ１３に電流が供給されて透過表示が行われる場合に
おける色再現範囲を示している。色再現範囲５０１ｂは、点５０１ｂＲで示すＲの色度座
標（Ｘ、Ｙ）＝（０．６５７、０．３０３）、点５０１ｂＧで示すＧの色度座標（Ｘ、Ｙ
）＝（０．１６０、０．６４５）、点５０１ｂＢで示すＢの色度座標（Ｘ、Ｙ）＝（０．
１３２、０．１３８）で規定される三角形であり、ＮＴＳＣ比が８２．６３[％]となって
いる。このときの白色点の色度座標が、先に述べたように点Ｗｂで示す色度座標（０．３
２、０．３５）となる。
【００４５】
以上述べたように、本実施形態に係る液晶装置１００では、電流制御回路１５は、光セ
ンサ１６によって検知された環境光のＲＧＢの各波長成分の光強度を基に、各色のＬＥＤ
１３より出射される光の光強度を色毎に調整することにより、照明装置１０より出射され
る光の色度を環境光の色度に合わせる。このようにすることで、液晶装置１００は、環境
光に合わせて、反射表示を行う際における白色点の色度座標と透過表示を行う際における
白色点の色度座標を等しくすることができ、透過表示と反射表示の色度差を抑えることが
できる。
【００４６】
[変形例]
上述した実施形態では、環境光として、太陽光、所定の蛍光灯の光を想定しているが、
これに限られず、代わりに、他の任意の外部光源を用いても本発明を適用することができ
るのは言うまでもない。
【００４７】
また、上述した実施形態では、照明装置１０の光源にＲＧＢの３色のＬＥＤを用いると
しているが、これに限られるものではなく、代わりに４色以上のＬＥＤを用いることとし
てもよい。例えば、ＲＧＢの３色のＬＥＤの他に、ＲＧＢのうち、いずれか一つの色と補
色関係にある色の光を発光するＬＥＤを加えた、計４色のＬＥＤを用いるとすることもで
きる。
【００４８】
４色以上のＬＥＤを用いる場合、光センサ１６は、環境光の当該４色以上の波長成分の
光強度を検知し、電流制御回路１５は、当該４色以上の波長成分の光強度を基にＬＥＤの
光強度を色毎に調整することにより、照明装置１０より出射される光の色度を環境光の色
度に合わせる。これによっても、液晶装置１００は、環境光に合わせて、反射表示を行う
際における白色点の色度座標と透過表示を行う際における白色点の色度座標を等しくする
ことができ、透過表示と反射表示の色度差を抑えることができる。
【００４９】
[他の実施例]
上記の説明では、カラーフィルタとして機能する着色層の色（着色領域）として３色の
ＲＧＢを挙げて説明したが、本発明の適用はこれには限定されず、４色の着色層、即ち４
色の着色領域により１表示画素を構成することもできる。
【００５０】
具体的には、４色の着色領域は、波長に応じて色相が変化する可視光領域（３８０−７
８０ｎｍ）のうち、青系の色相の着色領域（「第１着色領域」とも呼ぶ。）、赤系の色相
の着色領域（「第２着色領域」とも呼ぶ。）と、青から黄までの色相の中で選択された２
種の色相の着色領域（「第３着色領域」、「第４着色領域」とも呼ぶ。）からなる。ここ
で「系」との語を用いているが、例えば青系であれば純粋の青の色相に限定されるもので
なく、青紫や青緑等を含むものである。赤系の色相であれば、赤に限定されるものでなく
橙を含む。また、これら着色領域は単一の着色層で構成されても良いし、複数の異なる色
相の着色層を重ねて構成されても良い。また、これら着色領域は色相で述べているが、当
該色相は、彩度、明度を適宜変更し、色を設定し得るものである。
【００５１】
具体的な色相の範囲は、
・青系の色相の着色領域は、青紫から青緑であり、より好ましくは藍から青である。
・赤系の色相の着色領域は、橙から赤である。
・青から黄までの色相で選択される一方の着色領域は、青から緑であり、より好ましくは
青緑から緑である。
・青から黄までの色相で選択される他方の着色領域は、緑から橙であり、より好ましくは
緑から黄である。もしくは緑から黄緑である。
【００５２】
ここで、各着色領域は、同じ色相を用いることはない。例えば、青から黄までの色相で
選択される２つの着色領域で緑系の色相を用いる場合は、他方は一方の緑に対して青系も
しくは黄緑系の色相を用いる。
【００５３】
これにより、従来のＲＧＢの着色領域よりも広範囲の色再現性を実現することができる
。
【００５４】
また、上記では４色の着色領域による広範囲の色再現性を色相で述べたが、他の具体的
な例として、着色領域を透過した光の波長で表現すると以下のようになる。
・青系の着色領域は、該着色領域を透過した光の波長のピークが４１５−５００ｎｍにあ
る着色領域、好ましくは、４３５−４８５ｎｍにある着色領域である。
・赤系の着色領域は、該着色領域を透過した光の波長のピークが６００ｎｍ以上にある着
色領域で、好ましくは、６０５ｎｍ以上にある着色領域である。
・青から黄までの色相で選択される一方の着色領域は、該着色領域を透過した光の波長の
ピークが４８５−５３５ｎｍにある着色領域で、好ましくは、４９５−５２０ｎｍにある
着色領域である。
・青から黄までの色相で選択される他方の着色領域は、該着色領域を透過した光の波長の
ピークが５００−５９０ｎｍにある着色領域、好ましくは５１０−５８５ｎｍにある着色
領域、もしくは５３０−５６５ｎｍにある着色領域である。
【００５５】
この波長は、透過表示の場合は、照明装置からの照明光がカラーフィルタを通して得ら
れた数値である。反射表示の場合は、外光を反射して得られた数値である。
【００５６】
他の具体的な例として、４色の着色領域をｘ、ｙ色度図で表現すると以下のようになる
。
・青系の着色領域は、ｘ≦0.151、ｙ≦0.200にある着色領域であり、好ましくは、0.134
≦ｘ≦0.151、0.034≦ｙ≦0.200にある着色領域である。
・赤系の着色領域は、0.520≦ｘ、ｙ≦0.360にある着色領域であり、好ましくは、0.550
≦ｘ≦0.690、0.210≦ｙ≦0.360にある着色領域である。
・青から黄までの色相で選択される一方の着色領域は、ｘ≦0.200、0.210≦ｙにある着色
領域であり、好ましくは、0.080≦ｘ≦0.200、0.210≦ｙ≦0.759にある着色領域である。
・青から黄までの色相で選択される他方の着色領域は、0.257≦ｘ、0.450≦ｙにある着色
領域であり、好ましくは、0.257≦ｘ≦0.520、0.450≦ｙ≦0.720にある着色領域である。
【００５７】
このｘ、ｙ色度図は、透過表示の場合は、照明装置からの照明光がカラーフィルタを通
して得られた数値である。反射表示の場合は、外光を反射して得られた数値である。
【００５８】
これら４色の着色領域は、サブ画素に透過領域と反射領域を備えた場合、透過領域及び
反射領域も上述した範囲で適用することができるものである。
【００５９】
また、照明装置１０におけるＲＧＢ光源としては、以下のものが好ましい。
・Ｂは発光する光の波長のピークが４３５ｎｍ−４８５ｎｍにあるもの
・Ｇは発光する光の波長のピークが５２０ｎｍ−５４５ｎｍにあるもの
・Ｒは発光する光の波長のピークが６１０ｎｍ−６５０ｎｍにあるもの
そして、ＲＧＢ光源の波長によって、上記カラーフィルタを適切に選定すればより広範
囲の色再現性を得ることができる。
【００６０】
また、照明装置１０における光源として４色のＬＥＤを用いる場合には、当該４色のＬ
ＥＤは後述する液晶表示パネルのカラーフィルタの４色の着色層に対応する色であると望
ましい。
【００６１】
上記の４色の着色領域の構成の例としては、具体的には以下のものがあげられる。
・色相が、赤、青、緑、青緑の着色領域
・色相が、赤、青、緑、黄の着色領域
・色相が、赤、青、深緑、黄の着色領域
色相が、赤、青、エメラルドグリーン、黄の着色領域
色相が、赤、青、エメラルドグリーン、黄緑の着色領域
・色相が、赤、青、深緑、黄緑の着色領域
・色相が、赤、青緑、深緑、黄緑の着色領域
[電子機器]
次に、本実施形態に係る液晶装置を電子機器の表示装置として用いる場合の実施形態に
ついて説明する。
【００６２】
まず、本発明に係る液晶装置１００を、可搬型のパーソナルコンピュータ（いわゆるノ
ート型パソコン）の表示部に適用した例について説明する。図７（ａ）は、このパーソナ
ルコンピュータの構成を示す斜視図である。同図に示すように、パーソナルコンピュータ
７１０は、キーボード７１１を備えた本体部７１２と、本発明に係る液晶装置１００を適
用した表示部７１３とを備えている。
【００６３】
続いて、本発明に係る液晶装置１００を、携帯電話機の表示部に適用した例について説
明する。図７（ｂ）は、この携帯電話機の構成を示す斜視図である。同図に示すように、
携帯電話機７２０は、複数の操作ボタン７２１のほか、受話口７２２、送話口７２３とと
もに、本発明に係る液晶装置１００を適用した表示部７２４を備える。
【００６４】
なお、本発明に係る液晶装置１００を適用可能な電子機器としては、図７（ａ）に示し
たパーソナルコンピュータや図７（ｂ）に示した携帯電話機の他にも、液晶テレビ、ビュ
ーファインダ型・モニタ直視型のビデオテープレコーダ、カーナビゲーション装置、ペー
ジャ、電子手帳、電卓、ワードプロセッサ、ワークステーション、テレビ電話、ＰＯＳ端
末、ディジタルスチルカメラなどが挙げられる。
【図面の簡単な説明】
【００６５】
【図１】本実施形態に係る液晶装置の平面図である。
【図２】本実施形態に係る液晶装置の断面図である。
【図３】カラーフィルタとＲＧＢのＬＥＤの特性を示す図である。
【図４】ＲＧＢのＬＥＤを有する一般的な液晶装置の色再現範囲を示す色度図である。
【図５】ＬＥＤ光強度調整処理を示すフローチャートである。
【図６】本実施形態に係る液晶装置の色再現範囲を示す色度図である。
【図７】本実施形態の液晶装置を適用した電子機器の例を示す図である。
【符号の説明】
【００６６】
１２  光源部、  １３  ＬＥＤ、  １０  照明装置、  １５  電流制御回路、  １６  
光センサ、  ３０  液晶表示パネル、  １００  液晶装置
【図１】
2007279197.tif 000003
【図２】
2007279197.tif 000004
【図３】
2007279197.tif 000005
【図４】
2007279197.tif 000006
【図５】
2007279197.tif 000007
【図６】
2007279197.tif 000008
【図７】
2007279197.tif 000009